【手続補正書】
【提出日】平成18年8月8日(2006.8.8)
【手続補正１】
【補正対象書類名】特許請求の範囲
【補正対象項目名】全文
【補正方法】変更
【補正の内容】
【特許請求の範囲】
【請求項１】
ストレージシステムに対する構成変更要求を発行する管理コンピュータに接続されるストレージシステムであって、
ホストコンピュータと接続するための複数のポートと、それぞれ複数のディスクを含む複数のディスクユニット群と、ストレージシステムの構成を管理するプロセッサとを具備し、
複数のパーティションが前記プロセッサの制御下で構成され、これらのパーティションにはそれぞれ、前記複数のポートのうち少なくとも一つのポートと、前記複数のディスクユニット群のうち少なくとも一つのディスクユニット群とを含むストレージシステム資源が割り当てられており、
前記プロセッサは、パーティションと、そのパーティションの構成を変更する許可を与えられたユーザーのＩＤとの対応関係を管理し、
前記プロセッサは、管理コンピュータから構成変更要求を受け取って、その管理コンピュータから受け取ったユーザーＩＤに対応するパーティションを特定し、
前記プロセッサは、当該構成変更要求が当該ユーザーＩＤに対応するパーティションとは異なるパーティションに含まれる資源に関するものである場合、当該構成変更要求を拒否する、
ことを特徴とするストレージシステム。
【請求項２】
請求項１に記載のストレージシステムであって、
各ディスクユニット群において一つまたは複数の論理デバイスが前記プロセッサの制御下で構成され、さらに、ホストコンピュータのアクセス対象となる論理ユニットが一つまたは複数の論理デバイスによって構成される、ことを特徴とするストレージシステム。
【請求項３】
請求項１に記載のストレージシステムであって、
前記構成変更要求が、ディスクユニット群と、ディスクユニット群において構成される論理デバイスと、論理デバイスによって構成される論理ユニットとの対応関係に関わるものである、ことを特徴とするストレージシステム。
【請求項４】
請求項３に記載のストレージシステムであって、
前記構成変更要求が、ディスクユニット群と、ディスクユニット群において構成される論理デバイスと、論理デバイスによって構成される論理ユニットとの対応関係の変更に関わるものである、ことを特徴とするストレージシステム。
【請求項５】
請求項１に記載のストレージシステムであって、
さらにストレージシステムが、前記複数のパーティションの資源構成を示す構成情報を保持し、
前記プロセッサは、管理コンピュータからの構成変更要求を受理する場合、前記構成情報のうち当該ユーザーＩＤに対応するパーティションに関わる部分を当該構成変更要求に従って更新する、
ことを特徴とするストレージシステム。
【請求項６】
請求項５に記載のストレージシステムであって、
前記構成情報に、ユーザーＩＤと、そのユーザーＩＤに対応するパーティションに含まれる少なくとも一つのディスクユニット群と、そのディスクユニット群において構成される少なくとも一つの論理デバイスとの対応関係に関する情報が含まれる、ことを特徴とするストレージシステム。
【請求項７】
請求項５に記載のストレージシステムであって、
前記プロセッサは、前記構成情報の参照要求を受け取って、前記構成情報のうち当該ユーザーＩＤに対応するパーティションに関わる部分を出力するよう制御する、ことを特徴とするストレージシステム。
【請求項８】
ストレージシステムに対する構成変更要求を発行する管理コンピュータに接続されるストレージシステムであって、
ホストコンピュータと接続するための複数のポートと、複数のディスクユニット群において構成される複数の論理デバイスと、複数の論理デバイスによって構成される複数の論理ユニットと、ストレージシステムの構成を管理するプロセッサとを具備し、
複数のパーティションが前記プロセッサの制御下で構成され、これらのパーティションにはそれぞれ、少なくとも一つのポートと、少なくとも一つの論理デバイスと、少なくとも一つの論理ユニットとを含むストレージシステム資源が割り当てられており、
前記プロセッサが、パーティションと、そのパーティションの構成を変更する許可を与えられたユーザーのＩＤとの対応関係を管理し、
前記プロセッサは、管理コンピュータから構成変更要求を受け取って、その管理コンピュータから受け取ったユーザーＩＤに対応するパーティションを特定し、
前記プロセッサは、当該構成変更要求が当該ユーザーＩＤに対応するパーティションに含まれる資源間の対応関係を変更する要求である場合、当該構成変更要求を受理して当該構成変更要求に従って資源構成を変更し、
当該構成変更要求が当該ユーザーＩＤに対応するパーティションとは異なるパーティションに含まれる資源に関する要求である場合、当該構成変更要求を拒否する、
ことを特徴とするストレージシステム。
【請求項９】
請求項８に記載のストレージシステムであって、
前記構成変更要求が、ディスクユニット群と、ディスクユニット群において構成される論理デバイスと、論理デバイスによって構成される論理ユニットとの対応関係に関わるものである、ことを特徴とするストレージシステム。
【請求項１０】
請求項９に記載のストレージシステムであって、
前記構成変更要求が、ディスクユニット群と、ディスクユニット群において構成される論理デバイスと、論理デバイスによって構成される論理ユニットとの対応関係の変更に関わるものである、ことを特徴とするストレージシステム。
【請求項１１】
請求項８に記載のストレージシステムであって、
さらにストレージシステムが、前記複数のパーティションの資源構成を示す構成情報を保持し、
前記プロセッサは、管理コンピュータからの構成変更要求を受理する場合、前記構成情報のち当該ユーザーＩＤに対応するパーティションに関わる部分を当該構成変更要求に従って更新する、
ことを特徴とするストレージシステム。
【請求項１２】
請求項１１に記載のストレージシステムであって、
前記構成情報に、ユーザーＩＤと、そのユーザーＩＤに対応するパーティションに含まれる少なくとも一つのディスクユニット群と、ディスクユニット群において構成される少なくとも一つの論理デバイスとの対応関係に関する情報が含まれる、
ことを特徴とするストレージシステム。
【請求項１３】
請求項１１に記載のストレージシステムであって、
前記プロセッサは、前記構成情報の参照要求を受け取って、前記構成情報のうち当該ユーザーＩＤに対応するパーティションに関わる部分を出力するよう制御する、ことを特徴とするストレージシステム。
【手続補正２】
【補正対象書類名】明細書
【補正対象項目名】発明の名称
【補正方法】変更
【補正の内容】
【発明の名称】ストレージシステム
【手続補正３】
【補正対象書類名】明細書
【補正対象項目名】０００９
【補正方法】変更
【補正の内容】
【０００９】
上記目的を達成する本発明のストレージシステムは、ストレージシステムに対する構成変更要求を発行する管理コンピュータに接続されるストレージシステムであって、ホストコンピュータと接続するための複数のポートと、それぞれ複数のディスクを含む複数のディスクユニット群と、ストレージシステムの構成を管理するプロセッサとを具備し、複数のパーティションが前記プロセッサの制御下で構成され、これらのパーティションにはそれぞれ、前記複数のポートのうち少なくとも一つのポートと、前記複数のディスクユニット群のうち少なくとも一つのディスクユニット群とを含むストレージシステム資源が割り当てられており、前記プロセッサは、パーティションと、そのパーティションの構成を変更する許可を与えられたユーザーのＩＤとの対応関係を管理し、前記プロセッサは、管理コンピュータから構成変更要求を受け取って、その管理コンピュータから受け取ったユーザーＩＤに対応するパーティションを特定し、前記プロセッサは、当該構成変更要求が当該ユーザーＩＤに対応するパーティションとは異なるパーティションに含まれる資源に関するものである場合、当該構成変更要求を拒否する、ことを特徴とする。
【手続補正４】
【補正対象書類名】明細書
【補正対象項目名】００１０
【補正方法】変更
【補正の内容】
【００１０】
また本発明のストレージシステムは、ストレージシステムに対する構成変更要求を発行する管理コンピュータに接続されるストレージシステムであって、ホストコンピュータと接続するための複数のポートと、複数のディスクユニット群において構成される複数の論理デバイスと、複数の論理デバイスによって構成される複数の論理ユニットと、ストレージシステムの構成を管理するプロセッサとを具備し、複数のパーティションが前記プロセッサの制御下で構成され、これらのパーティションにはそれぞれ、少なくとも一つのポートと、少なくとも一つの論理デバイスと、少なくとも一つの論理ユニットとを含むストレージシステム資源が割り当てられており、前記プロセッサが、パーティションと、そのパーティションの構成を変更する許可を与えられたユーザーのＩＤとの対応関係を管理し、前記プロセッサは、管理コンピュータから構成変更要求を受け取って、その管理コンピュータから受け取ったユーザーＩＤに対応するパーティションを特定し、前記プロセッサは、当該構成変更要求が当該ユーザーＩＤに対応するパーティションに含まれる資源間の対応関係を変更する要求である場合、当該構成変更要求を受理して当該構成変更要求に従って資源構成を変更し、当該構成変更要求が当該ユーザーＩＤに対応するパーティションとは異なるパーティションに含まれる資源に関する要求である場合、当該構成変更要求を拒否する、ことを特徴とする。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】